(57)【要約】【課題】被回転体である画像表示装置を正面に簡単に戻すことができる回転台を提供する。【解決手段】回転台1は、固定台2上に画像表示装置4が載置される回転片3を左右に回転自在に設け、該回転片3はモータＭ駆動され、モータＭはリモコン7からの操作信号が入力される制御手段6に接続されて回転駆動を制御される。固定台2には、画像表示装置4が正面を向く中心位置に応じて、突起22が設けられ、回転片3には突起22を検出するスイッチＳＷ1が設けられている。リモコン7には、被回転体を中心位置に向ける旨の信号を発するスィーベル中央釦71が設けられている。スィーベル中央釦71が操作された際には、モータＭは制御手段6によって回転され、スイッチＳＷ1は、回転片3の回転時に、突起22を検出すると、制御手段6に対しモータＭの回転停止を促す信号を送る。【選択図】図９
2005106877.tif 000002
【特許請求の範囲】
【請求項１】
固定台(２)上に被回転体が載置される回転片(３)を左右に回転自在に設け、該回転片(３)はモータ(Ｍ)駆動され、モータ(Ｍ)はリモコン(７)又は固定台(２)からの操作信号が入力される制御手段(６)に接続されて回転駆動を制御される回転台に於いて、
固定台(２)又は回転片(３)の何れか一方には、被回転体が正面を向く中心位置に応じて、正面被検出部が設けられ、他方には正面被検出部を検出するセンサ手段が設けられ、
リモコン(７)又は固定台(２)には、被回転体を中心位置に向ける旨の信号を発するスィーベル中央釦(71)が設けられ、
スィーベル中央釦(71)が操作された際には、モータ(Ｍ)は制御手段(６)によって回転され、センサ手段は、回転片(３)の回転時に、正面被検出部を検出すると、制御手段(６)に対しモータ(Ｍ)の回転停止を促す信号を送ることを特徴とする回転台。
【請求項２】
正面被検出部は固定台(２)又は回転片(３)の何れか一方に形成された突起(22)であり、センサ手段は他方に設けられて突起(22)により押し込まれるスイッチ(ＳＷ1)であり、回転片(３)上に載置される被回転体は画像表示装置(４)である請求項１に記載の回転台。
【請求項３】
請求項１又は２に記載の回転台を具えた画像表示装置ユニット
【請求項４】
固定台(２)上に被回転体が載置される回転片(３)を左右に回転自在に設け、該回転片(３)はモータ(Ｍ)駆動され、モータ(Ｍ)はリモコン(７)又は固定台(２)からの操作信号が入力される制御手段(６)に接続されて回転駆動を制御される回転台の回転方法であって、
リモコン(７)又は固定台(２)には、被回転体を中心位置に向ける旨の信号を発するスィーベル中央釦(71)が設けられ、
スィーベル中央釦(71)が操作された際に、制御手段(６)が回転片(３)の現在位置に基づいて、回転片(３)を中心位置に戻す向きにモータ(Ｍ)に通電する工程と、
回転片(３)を中心位置に戻す向きにモータ(Ｍ)に通電したにも拘わらず、回転片(３)が左右の何れかに振り完了したことを検知したときは、制御手段(６)はモータ(Ｍ)及び回転片(３)を逆転させる工程を有する回転台の回転方法。
【発明の詳細な説明】
【技術分野】
【０００１】
本発明は、回転台及び該回転台に画像表示装置を具えた画像表示装置ユニットに関し、特にテレビジョン受像機が載置される回転台及びその回転方法に関する。
【背景技術】
【０００２】
テレビジョン受像機が載置される回転台であって、使用者が回転を遠隔操作できるものには、図１０に示すものが公知である(例えば、特許文献１参照)。
これは、固定台(２)上に回転片(３)を設け、該回転片(３)上にテレビジョン受像機である画像表示装置(４)が載置される。固定台(２)内には、回転片(３)を水平面内にて回転させるモータ(Ｍ)及びリモートコントローラ(以下、「リモコン」と称する)(７)の受光部(70)が設けられており、受光部(70)は通常受光ダイオードである。
図１１は、従来の回転台(１)の内部ブロック図である。受光部(70)は制御手段(６)に接続され、制御手段(６)には前記モータ(Ｍ)及びメモリ(60)が接続される。リモコン(７)からの信号は、受光部(70)を介して制御手段(６)に入力され、制御手段(６)はモータ(Ｍ)を回転させ、回転片(３)を左右何れかに回転させる。メモリ(60)には、何れの方向に回転しているかが格納される。回転片(３)を水平面内にて左右何れかに回転させる(スィーベル動作と呼ばれる)ことにより、画像表示装置(４)を視聴者が視聴しやすい位置に向けることができる。
【特許文献１】実開平７−４３０１３号(図１)
【発明の開示】
【発明が解決しようとする課題】
【０００３】
一旦、画像表示装置(４)を左右何れかに回転させた後に、画像表示装置(４)が正面を向く位置に戻すには、画像表示装置(４)が正面を向くまで、視聴者がリモコン(７)の操作釦を押し続けなければならない。従って、視聴者にとって、非常に手間が掛かる。
本発明の目的は、被回転体である画像表示装置(４)を正面に簡単に戻すことができる回転台を提供することにある。
【課題を解決するための手段】
【０００４】
回転台(１)は、固定台(２)上に被回転体が載置される回転片(３)を左右に回転自在に設け、該回転片(３)はモータ(Ｍ)駆動され、モータ(Ｍ)はリモコン(７)又は固定台(２)からの操作信号が入力される制御手段(６)に接続されて回転駆動を制御される。
固定台(２)又は回転片(３)の何れか一方には、被回転体が正面を向く中心位置に応じて、正面被検出部が設けられ、他方には正面被検出部を検出するセンサ手段が設けられ、
リモコン(７)又は固定台(２)には、被回転体を中心位置に向ける旨の信号を発するスィーベル中央釦(71)が設けられ、
スィーベル中央釦(71)が操作された際には、モータ(Ｍ)は制御手段(６)によって回転され、センサ手段は、回転片(３)の回転時に、正面被検出部を検出すると、制御手段(６)に対しモータ(Ｍ)の回転停止を促す信号を送る。
【発明の効果】
【０００５】
リモコン(７)又は固定台(２)のスィーベル中央釦(71)が操作されると、制御手段(６)によってモータ(Ｍ)に通電され、回転片(３)が回転する。センサ手段は、回転片(３)の回転時に、正面被検出部を検出すると、制御手段に対しモータ(Ｍ)の回転停止を促す信号を送る。モータ(Ｍ)が停止し、回転片(３)及び被回転体は、中心位置を向いて停止する。
即ち、リモコン(７)又は固定台(２)のスィーベル中央釦(71)を操作すると、回転片(３)及び被回転体は自動的に中心位置に達して停止するので、被回転体を正面に簡単に戻すことができ、使用者にとって便利である。
【発明を実施するための最良の形態】
【０００６】
以下、本発明の一例を図を用いて説明する。
図１は、本発明の回転台(１)に画像表示装置(４)を具えた画像表示装置ユニットの分解斜視図である。
画像表示装置(４)は具体的にはプラズマディスプレイであって、脚片(５)を介して回転台(１)に取り付けられる。画像表示装置(４)が正面を向く位置を中心位置とし、脚片(５)が水平面内にて、中心位置から左右に最大で３０度に振り回転(スィーベル動作)して、画像表示装置(４)の向きを変える。回転台(１)はリモコン(７)によって操作され、該リモコン(７)の信号は画像表示装置(４)に受信されて、回転台(１)に伝わる。
図２は、リモコン(７)の平面図である。リモコン(７)には、画像表示装置(４)を正面に向ける際に操作されるスィーベル中央釦(71)、画像表示装置(４)を左に振り回転させる際に操作されるスィーベル左釦(72)、画像表示装置(４)を右に振り回転させる際に操作されるスィーベル右釦(73)が設けられている。スィーベル左釦(72)を押し続けると、図３(a)に示すように画像表示装置(４)が左に振り回転し、スィーベル中央釦(71)を押すと、図３(b)に示すように、画像表示装置(４)が正面を向く。スィーベル右釦(73)を押し続けると、図３(c)に示すように、画像表示装置(４)が右に振り回転する。
【０００７】
図４は、回転台(１)の分解斜視図である。回転台(１)は固定台(２)上に回転片(３)を回転自在に設け、固定台(２)及び回転片(３)は、第１カバー体(10)及び第２カバー体(11)により覆われる。回転片(３)からは給電用の端子(37)が設けられており、該端子(37)が画像表示装置(４)に接続される。回転片(３)は、画像表示装置(４)内の制御手段(図示せず)から通電される。回転片(３)の天面中央部には、筒体(38)が形成され、該筒体(38)に前記脚片(５)から突出した嵌合棒(51)が緊密に嵌まる。これにより、回転片(３)が回転すると、脚片(５)及び画像表示装置(４)が回転する。
【０００８】
図５は、固定台(２)の平面図である。固定台(２)上には回転片(３)を受けるボールベアリング(23)及び回転片(３)に噛合する円弧状のラック(24)が設けられている。また、固定台(２)上には、画像表示装置(４)の回転位置である３つの位置、即ち画像表示装置(４)が左３０度に振り回転した位置、画像表示装置(４)の中心位置、画像表示装置(４)が右３０度に振り回転した位置に応じて突起(22)(22a)(22b)が設けられている。該突起(22)(22a)(22b)は正確には、回転片(３)の回転方向に沿う突起(22)(22a)(22b)の中央部が、中心位置、該中心位置から左に３０度、右に３０度ずれた位置に対応している。
図６は、回転片(３)の平面図である。回転片(３)は周囲に複数のローラ(30)(30)を設け、前記のボールベアリング(23)と該ローラ(30)(30)とによって、回転片(３)は回転し易く設けられている。回転片(３)内には、モータ(Ｍ)に連繋したギア(35)が設けられ、該ギア(35)が固定台(２)のラック(24)に噛合して、回転片(３)は回転する。
回転片(３)内には、前記突起(22)(22a)(22b)により押し込まれるスイッチ(ＳＷ1)(ＳＷ2)(ＳＷ3)が設けられている。後記の如く、回転片(３)の回転時に、図７に示すように、中心位置に対応した突起(22)がスイッチ(ＳＷ1)を押し込むと、画像表示装置(４)が中心位置に達したことが判る。画像表示装置(４)が左３０度に振り回転した位置にて、突起(22a)がスイッチ(ＳＷ2)を押し込み、画像表示装置(４)が右３０度に振り回転した位置にて、突起(22b)がスイッチ(ＳＷ3)を押し込む。
【０００９】
図８は、回転台(１)及び画像表示装置(４)の内部ブロック図である。リモコン(７)からの信号は、画像表示装置(４)内の受光部(70)に入力され、該受光部(70)はマイクロコンピュータである制御手段(６)に繋がる。モータ(Ｍ)及びスイッチ(ＳＷ1)(ＳＷ2)(ＳＷ3)は端子(37)(図４参照)を介して制御手段(６)に接続され、制御手段(６)には、またメモリ(60)が接続されている。メモリ(60)には、動作プログラムやリモコン(７)の制御コード、画像表示装置(４)が中心位置に対して左右何れにあるかが格納される。
リモコン(７)のスィーベル右釦(73)を押すと、制御手段(６)は受光部(70)から該制御コードを受信する。制御手段(６)はメモリ(60)内のデータと照合して、回転片(３)を右に回転させるべきことを判別する。制御手段(６)はモータ(Ｍ)に通電し、回転片(３)を右に回転させる。メモリ(60)には、回転片(３)が中心位置から右に回転したことが格納される。
リモコン(７)のスィーベル右釦(73)を押し続けると、回転片(３)は右回転を続ける。回転片(３)が右に３０度回転すると、突起(22b)がスイッチ(ＳＷ3)を押し込む。該スイッチ(ＳＷ3)の信号は制御手段(６)に入力され、制御手段(６)は回転片(３)が右に３０度振り完了したことを検知して、モータ(Ｍ)への通電を遮断する。
同様に、リモコン(７)のスィーベル左釦(72)を押すと、制御手段(６)は回転片(３)を左に回転させる。スイッチ(ＳＷ2)の信号が制御手段(６)に入力されると、制御手段(６)は回転片(３)が左に３０度振り完了したことを検知して、モータ(Ｍ)への通電を遮断する。
【００１０】
(スィーベル中央釦操作時の動作詳細)
図９は、スィーベル中央釦(71)が操作された際の動作を示すフローチャートである。
前記の如く、回転片(３)が中心位置から右又は左の何れにあるかは、メモリ(60)に格納されているから、スィーベル中央釦(71)が操作されると(Ｓ1)、制御手段(６)はメモリ(60)から回転片(３)の現在位置を読み出し、回転片(３)を中心位置に戻す向きにモータ(Ｍ)に通電する(Ｓ2)。即ち、回転片(３)の現在位置が中心位置に対して左であれば右回転させ、右であれば左回転させる。
回転片(３)が中心位置に達する、即ちスイッチ(ＳＷ1)が押されると(Ｓ3)、制御手段(６)はモータ(Ｍ)への通電を遮断し、回転片(３)を停止させる(Ｓ4)。尚、フローチャートには図示されていないが、スィーベル中央釦(71)が操作された当初から、回転片(３)が中心位置にあるときは、制御手段(６)にはスイッチ(ＳＷ1)からの信号が入力されており、回転片(３)を回転させない。
【００１１】
図３(a)に一点鎖線で示すように、例えば回転片(３)及び画像表示装置(４)が中心位置に対して左にあったにも拘わらず、視聴者が悪戯で又は不用意に画像表示装置(４)を手動で中心位置よりも右側に回転させることが考えられる。この場合は、実際には回転片(３)及び画像表示装置(４)の位置は中心位置に対して右側であるにも拘わらず、メモリ(60)内には回転片(３)及び画像表示装置(４)の位置は中心位置に対して左側である旨が格納されている。
この場合は、制御手段(６)はメモリ(60)内の情報から、回転片(３)及び画像表示装置(４)を中心位置に戻す為に、回転片(３)を右に回転させる。回転片(３)が右に振り完了、即ちスイッチ(ＳＷ3)が押し込まれない場合は、続いて右に回転させる(Ｓ5、Ｓ6)。回転片(３)が右に振り完了する、即ちスイッチ(ＳＷ3)が押し込まれると、制御手段(６)は回転片(３)が右に振り完了したことを検知して、今度はモータ(Ｍ)を逆転させ、回転片(３)を左に回転させる(Ｓ7)。回転片(３)が中心位置に達すると、回転片(３)を停止する(Ｓ3、Ｓ4)。
回転片(３)及び画像表示装置(４)が中心位置に対して右にあったにも拘わらず、視聴者が悪戯で又は不用意に画像表示装置(４)を手動で中心位置よりも左側に回転させた場合も同様である。
【００１２】
本例にあっては、リモコン(７)のスィーベル中央釦(71)が操作されると、制御手段(６)によってモータ(Ｍ)に通電され、回転片(３)が回転する。スイッチ(ＳＷ1)は、回転片(３)の回転時に中心位置に応じた突起(22)によって押されると、制御手段(６)に対しモータ(Ｍ)の回転停止を促す信号を送る。モータ(Ｍ)が停止し、回転片(３)及び画像表示装置(４)は、中心位置を向いて停止する。
即ち、リモコン(７)のスィーベル中央釦(71)を操作すると、回転片(３)及び画像表示装置(４)は自動的に中心位置に達して停止するので、画像表示装置(４)を正面に簡単に戻すことができ、使用者にとって便利である。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、回転片(３)にスイッチ(ＳＷ1)を、固定台(２)に突起(22)を設けたが、回転片(３)に突起(22)を、固定台(２)にスイッチ(ＳＷ1)を設けてもよい。また、突起(22)がスイッチ(ＳＷ1)を押し込んで、回転片(３)を停止させるとしたが、例えば光センサ等で、回転片(３)の停止を検出してもよい。また、スィーベル中央釦(71)はリモコン(７)に設けられているとしたが、固定台(２)上に設けられてもよい。即ち、視聴者がリモコン(７)を用いずに、回転台(２)を回転させてもよい。
【図面の簡単な説明】
【００１４】
【図１】本発明の回転台に画像表示装置を具えた画像表示装置ユニットの分解斜視図である。
【図２】リモコンの正面図である。
【図３】(a)、(b)、(c)は、画像表示装置の振り回転状態を示す平面図であり、(a)は左に振り回転した状態を、(b)は中心位置を、(c)は右に振り回転した状態を夫々示す。
【図４】回転台の分解斜視図である。
【図５】固定台の平面図である。
【図６】回転片の平面図である。
【図７】回転片の回転時に、突起によりスイッチが押し込まれる状態を示す側面図である。
【図８】回転台及び画像表示装置の内部ブロック図である。
【図９】スィーベル中央釦が操作された際の動作を示すフローチャートである。
【図１０】従来の回転台の斜視図である。
【図１１】従来の回転台の内部ブロック図である。
【符号の説明】
【００１５】
(１)  回転台
(２)  固定台
(３)  回転片
(４)  画像表示装置
(７)  リモコン
(22)  突起
(71)  スィーベル中央釦
【図１】
2005106877.tif 000003
【図２】
2005106877.tif 000004
【図３】
2005106877.tif 000005
【図４】
2005106877.tif 000006
【図５】
2005106877.tif 000007
【図６】
2005106877.tif 000008
【図７】
2005106877.tif 000009
【図８】
2005106877.tif 000010
【図９】
2005106877.tif 000011
【図１０】
2005106877.tif 000012
【図１１】
2005106877.tif 000013